(57)【要約】【課題】水田において、肥料散布ムラの少ない、省力的な施肥方法を提供すること。【解決手段】本発明に係る施肥装置は、上部に位置する容器内において一般的に広く流通する安価な固形肥料を投入し、水と混合して液体化させる液肥調製部（第一容器）と、液体化された肥料をホース等の連結具を介して下部に位置する容器内で一時的に溜め置く液肥貯留部（第二容器）、さらに液肥貯留部から流量制御バルブを介して外部に放出される流量調節部から構成される。流量調節部から流出した液体肥料はホース等の液肥誘導管を介して水田脇の灌漑水枡で灌漑水に溶けたのち水田内へ供給される。この装置により、当初固体であった肥料は液体化され、一定の濃度、一定の流量で灌漑水とともに水田内へ供給されるので、灌漑水の広がりとともに水田の隅々にまで行き渡る。これにより、水田内にムラなく均一に肥料を散布することが可能である。【選択図】図１
2017153466.tif 000002
【特許請求の範囲】
【請求項１】
水田における施肥方法であって、
固形肥料に水を加えて一定濃度の液状化した肥料を作成する工程と、
前記液状化した肥料を単位時間当たり一定量の流量を維持しながら水田内に流し入れる工程と、
からなることを特徴とする施肥方法。
【請求項２】
固形肥料を水に溶かして液体肥料とするための第一容器と、
前記第一容器の下方に配置され、前記第一容器から流し込まれる前記液体肥料を中継する第二容器と、
前記第二容器に設置され、前記液体肥料の単位時間当たりの流量を調節する流量制御装置と、
を備えることを特徴とする施肥器。
【請求項３】
前記第二容器は、前記第一容器から流し込まれる前記液体肥料を、一定量貯留させる水位制御装置を備えることを特徴とする請求項２に記載の施肥器。
【請求項４】
前記第一容器は、前記第一容器内の水を撹拌して前記固形肥料を溶かすための撹拌機をさらに備えることを特徴とする請求項２又は３に記載の施肥器。
【請求項５】
肥料を水田の水口から流し入れる工程が、水田の水位を下げて水尻を閉じる工程と、
前記請求項２から４のいずれかに記載の装置を、水田脇に設置する工程と、
所定の固形肥料および水を、前記装置の第一容器内へ入れる工程と、
前記肥料と水を、前記第一容器内で撹拌して、液体肥料を作出する工程と、
前記第一容器内の液体肥料を流し入れ、中継する前記第二容器に一定量貯留させる工程と、
前記第二容器に一定量貯留させた液体肥料を、流量を調節したのち装置外へ流出させる工程と、
水田の水口を開放して前記液体肥料とともに水田内へ流し入れる工程、及び
所定量の液体肥料が、前記請求項２から４のいずれかに記載の装置から水田内へ流出したのち、水口を閉じる工程と、
を含む請求項１に記載の施肥方法。
【発明の詳細な説明】
【技術分野】
【０００１】  本発明は、水田脇の畦畔や農道等において固形肥料を液体化する工程と、液体化した肥料を灌漑水と一緒に水田の水口から流し入れる工程とを備える流入施肥装置とそれを活用した施肥方法に関する。
【背景技術】
【０００２】  農業者の高齢化による農業者人口の減少に伴い、水田は地域の担い手に集積される一方、米消費の低迷により、米の販売価格は下降の一途をたどっている。そのような状況下において、米の生産農家は所得を確保するために米収量を増大させて生産性を向上させる必要がある。米収量を増大させるために、米の生産農家は稲の生育期間中に追肥を行うが、その追肥方法は人力によることが常である。【０００３】  通常、水田における施肥は、粒状または粉上の肥料を使用して桶または背負式散布機等により人力で散布するため、足場の悪い水田の中に入り歩きながら肥料を散布する必要があり、かつ夏場の暑い中での作業となるため、非常に重労働である。【０００４】  そこで、過酷な肥料の散布作業から解放するため、以前から液体もしくは固体肥料を水田の水口から灌漑水と一緒に流し込む方法（以下、流入施肥法）の開発が、一部の農家や研究機関およびメーカー等で取り組まれてきた。【０００５】  これまでに開発された流入施肥法として、液体肥料を専用の施肥器を使って散布する方法（特許文献１）や、固形肥料を溶解せずに直接灌漑水と一緒に流し込む方法（特許文献２）  が考案されている。【０００６】  しかしながら既存の流入施肥法には少なからず課題が存在しており、いずれの流入施肥法も広く普及するまでには至っていない。課題としては、肥料の濃度や流出流量が一定とならず肥料ムラを生じやすいことや、市販の専用肥料あるいは液体肥料を使用した場合は、資材費がかかり高コストとなる等の課題がある。【０００７】  一方で、購入後すぐに肥料を流し入れることができるように、すでに容器詰めされている液体肥料も市販化されているが、液体肥料の場合、水田の規模が大きい場合は購入したたくさんの液肥が入った容器を水田脇まで運ばなければならず、就農人口の減少や高齢化が進む昨今の事情では、作業従事者にかかる身体的な負担の大きさが問題となる。また、これらの市販化されている液体肥料は高価である。【０００８】  いずれにしても、従来の方法で、粒状または液体の肥料を水田内にムラなく均一に散布することは、水田内に入って作業を行うにしても水口から流し入れるにしても、技術的に難しく、結果的に肥料の散布ムラを生じることで稲の生育や収量、品質に悪影響を与える原因となる。
【先行技術文献】
【特許文献】
【０００９】
【特許文献１】特開平１１−０１８５３３公報
【特許文献２】特開平５−１０３５２１公報
【発明の概要】
【発明が解決しようとする課題】
【００１０】  流入施肥においてムラなく水田内へ肥料を散布するためには、均一な肥料濃度の液体肥料を調製し、常に単位時間当たり一定量の流量で流し入れることが重要である。散布ムラがなく、かつ安価な流入施肥法が確立されれば、米生産の大幅な効率化とコストダウンがはかられる。しかし、現在市販化されている流入施肥専用の液体肥料においては、水田脇から簡単に肥料散布できるように、キャップ付の容器に液体肥料をパッケージ化して、容器に付属するキャップを開封したのち、液体肥料を水田脇に存在する水口から灌漑水と一緒に流し入れる資材が販売されているが、容器内部の液体肥料の減少（圧力の低下）とともに水田内へ投入する肥料の流出流量が減少するため、長時間かけて一定流量で散布することは困難である。【００１１】  また、特許文献１においては、市販の液体肥料の使用が前提とされており、液体肥料を使用する場合は、肥料成分の他に肥料を溶解するための水の重量が加わるため、水田が広く施肥量が多くなるほど運搬する総重量も重くなる。必要量の肥料成分のみ水田脇へ運搬し、水田脇で灌漑水を加えて液体化できれば、肥料を運搬する労力が軽減できる。さらに、特許文献１において、流入施肥器から水田へ流し入れる液体肥料の流量は、当初設定したのちの流量変更は想定されておらず、仮になんらかの状況変化により途中で肥料の流量調節を行う場合は、一度、肥料の流し込みを中断したのち、再度流量設定をやり直すことが求められるため、煩雑である。【００１２】  なお、特許文献２のように、固形肥料を液体化せずにそのまま水田内に流し入れる資材も市販化されているが、そもそも固形物を溶かさずに水田へ散布した場合、水口近傍に一部の肥料が停滞し、水田内へ均一に拡散させることは困難である。また、特殊な形状に加工して製造されるため肥料の製造コストが高く、使われる場面は限定的である。
【課題を解決するための手段】
【００１３】  本発明に係る施肥装置は、まず上部に位置する容器内において一般的に広く流通する安価な固形肥料を投入し、水（水田の場合は灌漑水の利用が一般的であろう）と混合して液体化させる液肥調製部（第一容器）と、液体化された肥料をホース等の連結具を介して下部に位置する容器内で一時的に溜め置く液肥貯留部（第二容器）、さらに液肥貯留部から流量制御バルブを介して外部に放出される流量調節部から構成される。流量調節部から流出した液体肥料はホース等の液肥誘導管を介して水田脇の灌漑水枡で灌漑水に溶けたのち、水田内へ供給される。この装置により、当初固体であった肥料は液体にされ、一定の濃度、一定の流量で灌漑水とともに水田内へ供給されるので、灌漑水の広がりとともに水田の隅々にまで肥料が行き渡る。これにより、水田内にムラなく均等に散布することが可能である。【００１４】  本発明において、施肥装置からの液体肥料の流出量は、水田の広さに応じて決まる圃場内の水量と、水口から圃場に流し込む灌漑水の単位時間当たりの水量とを考慮して決定される。すなわち、流入施肥終了後の目標とすべき圃場内の水量を灌漑水の単位時間当たりの水量で除した値が、水田に必要量の灌漑水を供給するために要する時間であり、同様に水田の広さに応じて決まる必要量の肥料を溶かした水の全量が、灌漑水の供給に要する時間とちょうど同じ時間をかけて施肥装置から放出されるように、施肥装置の流量制御装置により調節をしておけば、後は肥料を水田に自動的に散布することができる。また仮に、なんらかの状況変化により、途中で肥料の流量調節を行う必要が生じた場合においても、肥料の流し込みを継続しながら流量制御装置により流量変更が可能である。【００１５】  なお、本発明に係る施肥装置は、水稲への施肥を考慮しているが、水稲に限らずイグサやレンコン等その他肥料を要する作物を対象にした使用も可能であると想定される。また、本発明では低コスト化のため安価な固体肥料の使用を前提としたが、流入施肥のみを目的とする場合は、液体肥料も使用できる。
【発明の効果】
【００１６】  第１発明によれば、水田脇の農道や畦畔等で直接肥料成分に水田の灌漑水を加えて肥料溶液を作ることができるので、使用する分量の肥料成分のみ水田脇の畦際に運搬さえしておけば、重い液体肥料を肥料倉庫から水田まで運搬する労力が軽減できる。また、肥料の流量や肥料濃度を一定に保ちながら流入施肥を行うことにより、水田に流し入れる肥料溶液は均一なものとなり、従来技術の課題であった肥料の散布ムラが緩和されるため、作物の収量が増加し良好な品質の作物を収穫することができる。作業従事者は、あらかじめ第一容器内で液体肥料の調製や滴下量の調節等の初期の作業を適切に行っておけば、施肥装置による肥料散布が行われている間、身体を休めることも別の場所に移動して他の作業を実施することも可能である。また、特殊な形状を持つ専用肥料を必要としないため、資材コストの面においても有利である。【００１７】  特許文献１記載の流入施肥器は液体肥料専用であるため、固形肥料を溶解させるための構造を持っておらず、また仮に容器内で強制的に溶解させたとしても、容器内から水田へ流出する過程で溶け残った肥料の残渣物等により目詰まりの原因となる。そのため、本発明では、請求項でいうところの第２発明により、液肥調製部としての機能を持つ第一容器内で固形肥料を溶解させたのち、第一容器内のフィルタやスリット等を経由して完全に水に溶解した肥料溶液のみ位置エネルギーにより第一容器下方の第二容器に流入させることで上記の問題が解決される。また第二容器には、流量を調節する流用調節機構を備えることで、目的の単位時間当たり流量に正確に調節することが可能となる。また途中で流量変更を瞬時に行うことも可能である。【００１８】  第３発明によれば、第一容器から流し込まれた肥料溶液を第二容器に付属する水位制御装置により、液肥貯留部としての機能を持つ第二容器内で常時一定量貯留させておくことで、電力等の特別なエネルギーを必要とせず、またサイフォン等の特別な機構を備えなくても、第二容器から水田へ一定量の流量の肥料溶液が供給できるため、均一な肥料散布が可能となる。【００１９】  第４発明によれば、尿素や硫安等の固形肥料を水と混合し、撹拌機を使用せずにそまま自然放置したとしても、ある程度時間が経過すれば、固形成分が水に溶解し液体肥料を作出できるが、撹拌しないことによる肥料の濃度勾配が発生し、装置から流出する液体肥料の濃度は不安定となる。撹拌機を備えることで、一定濃度の液体肥料を作出できる。【００２０】  第５発明は、本発明の装置を用いて、水田内へムラなく肥料を散布する方法である。肥料の散布前に水田内の田面水を水深０ｃｍを目標に落水したのち、水尻を閉めて、水田脇の農道や畦畔に本発明の第一容器および第二容器が水平となるように設置を行い、一定流量に調節した灌漑水と一緒に、本発明の装置により肥料の流出流量および肥料濃度を一定として水田内へ流し入れることで、水田内へムラなく肥料を散布できる。【００２１】  また、上記の第一容器、第二容器は、架台または脚部により安定的に固定化され、脚は独立して伸縮可能であるため、傾斜のある水田の畦畔等に設置が可能である。【００２２】  肥料散布が終了し、容器内が空になっても、���器は架台または脚部にしっかりと固定されるため、上記の第一容器、第二容器は、風等で飛ばされる心配が少ない。【００２３】  本発明の装置は、軽量であるため乗用車や軽トラック等に載せて簡単に運搬が可能である。【００２４】  本発明の装置は、各部品に分割できるため、使用後は施肥装置を簡単に洗浄することができ、保管やメンテナンスが非常に楽である。【００２５】  さらに、上記の装置は、耐久性や耐水性のある素材で構成されているため、屋外で継続して使用が可能である。
【実施例】
【００２６】  以下、本発明に係る装置の一例として、水稲用に構成した施肥装置の実施形態を図１から図３を参照して説明するが、その形態や構成は発明の趣旨を逸脱しない範囲で適宜変更可能であり、本発明は以下の実施例のみに限定されるものではない。
【図面の簡単な説明】
【００２７】
【図１】本発明に係る施肥装置のある実施形態を示す側断面図である。
【図２】図１に示した施肥装置を構成する円筒状部の斜視図である。
【図３】図１に示した施肥装置のホースを灌漑水枡に設置した状態を示す俯瞰図である。
【００２８】  図１及び図２に示す水稲用施肥装置は、粒状の固形肥料（尿素など）を灌漑水に溶かして液体肥料とするための第一容器１と、第一容器１内部で液体と化した肥料を中継する第二容器２と、灌漑水に溶けた肥料を第一容器１から第二容器２に流し込むための第一ホース３ａと、第二容器２に中継された液体肥料を外部に放出するための第二ホース３ｂと、第二ホース３ｂから放出される液体肥料の単位時間当たり流量を調節する流量制御バルブ４と、第二容器２内部の水位を制御する水位制御装置５と、第一容器１内の水を撹拌して粒状の固形肥料を溶かすための撹拌機６とを備える。これらの要素はすべて矩形の主架台７に直接的または間接的に架装されている。【００２９】  第一容器１及び第二容器２は、主架台７に第一容器１を上、第二容器２を下にして設置されている。第二容器２は主架台７から垂下する支持部材８により主架台７に固定されている。主架台７の四隅には脚９が設けられている。脚９は主架台７に対し、それぞれ独立して上下方向に変位可能に支持されている。さらに主架台７と脚９との間には、脚９を主架台７に対して下方に付勢するバネ１０が設けられている。施肥装置は通常、不整地に等しい水田脇の畦に設置されるが、そうした場合でも脚９が主架台７に対しそれぞれ独立して変位するので、施肥装置が安定する。【００３０】  第一容器１の底部には、液体肥料の吐出口を有する雄ジョイント１ａが取り付けられている。第二容器２の側部には、水位制御装置５が取り付けられており、第一容器１側の雄ジョイント１ａと、第二容器２側の水位制御装置５とが中継用の第一ホース３ａを介して接続されている。第一容器１に接続される第一ホース３ａの一端には、雄ジョイント１ａと対になった雌ジョイント１ｂが取り付けられており、両者の着脱は容易に可能である。雌雄のジョイント１ａ、１ｂを外し、第一容器１を主架台７から分離させれば、第一容器１の洗浄が簡単に行える。【００３１】  第一容器１の内底面には、同内底面に形成された第一ホース３ａの一端に通じる開口を囲むように、内底面よりも上に突き出す円筒状部１１が設けられている。円筒状部１１には、その上端面から下方に向けてスリット１１ａが形成されている。スリットは内底面よりもやや上部に位置するため、円筒状部１１は、第一ホース３ａの一端に流れ込む液体肥料に対して堰の役割を果たし、液体肥料の媒体として使用する灌漑水に含まれる砂粒や肥料の残留物などの異物が第一ホース３ａに流れ込むのを阻止するので、流量制御バルブ４や水位制御装置５に流れ込んで詰まりを生じるなどのトラブルを防止することができる。【００３２】  第二容器２の側部には、容器の内外に通じる連通ポート２ａが取り付けられており、連通ポート２ａの外部端には流量調節バルブ１２が取り付けられている。第二ホース３ｂは、流量調節バルブ１２を介して第二容器２に接続されている。流量調節バルブ１２は、後に詳述する流量制御バルブ４とは異なり、第一容器１から第二容器２への液体肥料の単位時間当りの流入量を大まかに調節するために使用される。【００３３】  連通ポート２ａの内部端には、水位制御装置５を構成する止水弁５ａと、水位に応じて上下し止水弁５ａを開閉するフロート５ｂとが配置されている。フロート５ｂはバー５ｃを介して止水弁５ａに接続されている。第二容器２内部の水位が上昇すると、フロート５ｂは水位と共に上昇し、自らの浮力をバー５ｃを介して止水弁５ａに作用させて止水弁５ａを徐々に絞るようになっている。最終的に第二容器２内部の水位が所定レベルに達すると、止水弁５ａは全閉される。【００３４】  第二ホース３ｂは、流量制御バルブ４を介して第二容器２の下部に接続されている。第二ホース３ｂには、本施肥装置を置く場所から灌漑水枡に届く十分な長さが必要である。第二ホース３ｂの自由端は灌漑水枡に向けて定位置に留まっている必要があるので、必要に応じてホースガイド１３を使用してもよい。ホースガイド１３には第二ホース３ｂの自由端を固定するクリップ１３ａを取り付けられているので、図３に示すように、第二ホース３ｂは自由端をこのクリップ１３ａに留め、ガイド自体は灌漑水枡２０の脇の畦にでも刺しておけばよい。【００３５】  流量制御バルブ４は第二容器２の下部に固定されており、内部に設けられる弁体の他に、流量を調節するためのツマミ４ａと、流量を刻んだ目盛り４ｂとを有している。作業者は、これらを操作して第二容器２から放出される液体肥料の単位時間当りの流量を無段階に調節することができる。なお、流量制御バルブ４は段階的な切り換えが可能な仕組みのものを採用しても何ら問題ない。【００３６】  撹拌機６は、モータ６ａと、モータ６ａの出力軸の先端に取り付けられた撹拌翼６ｂとを備えている。モータ６ａは防水のためケース６ｃに収納されており、ケース６ｃには撹拌機６を第一容器１に架装するためのサポート部材６ｄが取り付けられている。撹拌機６が第一容器１に架装されると、撹拌翼６ｂは第一容器１の内底面近くに位置し、同内底面とほぼ平行な面内で出力軸を中心に回転する。翼の回転によって第一容器１内の灌漑水を撹拌し、粒状の固形肥料を水に溶かす。施肥装置の運転初期の段階だけでなく、第二ホース３ｂからの液体肥料の放出が続く間は撹拌機６を作動させておけば、液肥の濃度のばらつきを抑えて均等な散布が可能となる。【００３７】  本発明に係る施肥装置の主要な構成は以上の通りだが、施肥装置の機能を向上してより高い効果を得るために以下のようなパーツを使用することが好ましい。
まず、第一容器１の内部に、フィルタとしてのストレーナ１５を円筒状部１１に被せるように設置してもよい。液体肥料の媒体として使用する灌漑水には落ち葉や水藻、小動物などが入っていることがよくあるが、このような異物をストレーナ１５が捕捉して第一ホース３ａに流れ込むのを阻止するので、施肥装置に異物が流れ込んで詰まりを生じるなどのトラブルを防止することができる。なお、ストレーナ１５には錘を固定し、撹拌機６により水の流れが生じる第一容器１の内部でも動かないようにしておくことが好ましい。【００３８】  また、予備的に第一容器１の上にザル状のトレイ（図示略）を設置し、灌漑水をこのトレイを通じて第一容器１に投入することによって、施肥装置に流れ込もうとする異物のうち大きなものを取り除くことができる。トレイでは捕捉できない小さい異物は、上記の円筒状部１１及びストレーナ１５がそれぞれの役割を果たして捕捉するので、異物の詰まりを高い確度で防止することができる。【００３９】  上記のように構成された水稲用施肥装置を、水田脇の畦畔や農道等に設置してどのように使用するかについて以下に説明する。
まず、水稲用施肥装置を灌漑水枡２０の傍に設置する。脚９には独立した変位機構が設けられているので、不整な畦にでも施肥装置を安定して設置することができる。施肥装置を設置したら、第二ホース３ｂの自由端をホースガイド１３のクリップ１３ａに留めたうえで、ホースガイド１３の下端を灌漑水枡２０の脇の畦に突き刺して固定する。【００４０】  第一容器１の内部に粒状の固形肥料（尿素など）を所定の量だけ投入する。固形肥料を入れたら、第一容器１の上に必要に応じてザル状のトレイ（図示略）を載せる。続いて投入した固形肥料の量に応じて灌漑水枡２０の水栓から分け取った必要量の水を、トレイの上から第一容器１に投入する。灌漑水に含まれる木の葉や水草などの比較的大きな異物は水と分離されてトレイの上に残る。【００４１】  撹拌機６を作動させ、翼の回転によって第一容器１内の灌漑水を撹拌し、粒状の固形肥料を水に溶かす。この時点では流量調節バルブ１２を閉じておき、固形肥料が灌漑水に十分に溶けて液体肥料となるまでしばらく放置する。【００４２】  次に、流量調節バルブ１２を開き、第一容器１から第二容器２に液体肥料を流入させる。第二容器２に液体肥料が流入し、第二容器２内部の水位が上昇すると、フロート５ｂが水位と共に上昇し、最終的に第二容器２内部の水位が所定レベルに達すると、止水弁５ａが全閉して第二容器２への液体肥料の流入が一旦停止する。止水弁５ａが全閉しても、第二ホース３ｂの自由端からの液肥の滴下は続くので、いずれ第二容器２内部の水位は低下し、止水弁５ａが開いて第二容器２への液体肥料の流入が再開する。このような動作を繰り返すことにより、液肥の安定的な滴下が可能になる。【００４３】  流量制御バルブ４を開き、第二ホース３ｂから適切な流量の液体肥料が灌漑水枡２０の内側に滴下するように調節する。滴下量は、水田の広さに応じて決まる圃場内の水量と、灌漑水枡２０から圃場に流し込む灌漑水の単位時間当たりの水量とを考慮して決定されるべきである。すなわち、圃場内の水量を灌漑水の単位時間当たりの水量で除した値が、水田に必要量の灌漑水を供給するために要する時間であり、同様に水田の広さに応じて決まる必要量の肥料を溶かした水の全量が、灌漑水供給に要する時間とちょうど同じ時間をかけて施肥装置から放出されるように、流量制御バルブの開度を調節して第二ホース３ｂの他端から放出される液体肥料の流量を決定して調節しておけば、後は肥料が水田に自動的に散布される。なお、第一容器１から第二容器２への液体肥料の単位時間当りの流量は、後述する流量制御バルブ４からの単位時間当りの滴下量よりも明らかに多くすべきである。そうしないと、第二容器２内部の水位が徐々に低下し、いずれ第二容器２の内部には液体肥料がなくなってしまうからである。【００４４】  すべての液体肥料を使用し終わったら装置を止め、第一容器１からトレイやストレーナ１５、撹拌機６を取り出して水洗いすると共に、第一容器１にトレイを載せてその上から水（できれば灌漑水ではなく水道水）を入れ、流量調節バルブ１２及び流量制御バルブ４を最大に開いて通水し、施肥装置内に残った液体肥料を洗い流す。【００４５】
【図４】  次に、本施肥装置を用いて、流し込み施肥試験を実施した結果を示す。実験は、施肥装置を圃場の水口近隣の畦畔上に設置して行った。尿素１１．７ｋｇ（窒素として約５．４ｋｇ，窒素施肥量約３ｋｇ／１０ａ）を施肥器の第一容器にセットし，上部から約３０Ｌの灌漑水をバケツで投入した。流し込む前に尿素と灌漑水は装置付属の撹拌機で完全に溶解させた。流し込み施肥器の第一容器から尿素液が流れ出し，第二容器内の容器に尿素液が十分に溜まった状態を確認したのち、圃場へ尿素液の流し込み施肥を開始した。圃場へ流し込む尿素液の流量は流量調節バルブで初期値として約３．５ｍｌ／秒に設定した。その後、一定時間ごとに施肥器から圃場へ流出する尿素液の流量を測定した。その結果、流し込み施肥装置から流出する肥料溶液の滴下流量は、流量調節後は長時間経過後もほぼ一定に推移した。また、肥料溶液中の窒素濃度は、流し込みを行う前に付属の撹拌機により肥料と灌漑水を撹拌することで均一化されて、長時間継続して肥料の流し込みを行った場合において、ほぼ均一な濃度で推移した。
【００４６】
【表１】
2017153466.tif 000003
表１は、本装置による流し込み追肥（流入施肥）と、慣行の背負式動力散布機による追肥作業の作業時間を比較した表である。本装置による流し込み（流入施肥）追肥の作業時間は、現地慣行と比較すると約６割作業時間が短縮される。【００４７】
【表２】
2017153466.tif 000004
表２は、本装置を用いて流し込み施肥を行った後、約１０日経過後の水稲葉色を示す。本装置を用いた流し込み追肥区（流入施肥区）後の葉色は、慣行で行われる背追式動力散布機による人力追肥（動散区）と比較して、圃場内の葉色の変動係数は良好な結果を示す。
【産業上の利用可能性】
【００４８】  本発明は施肥装置に関し、安価な固形肥料を用い、水田内にムラなく省力的に施肥することが可能である。また、本発明の施肥装置は水稲に限らずその他の穀物、野菜など多様な農作物の育成に際してその使用が可能である。小型で可搬性があるため、水田脇以外の場所、例えば、ビニルハウス内や、用排水機場内等での使用も可能である。さらに、肥料のみならず農薬や可溶性の微量要素、有機質物質等の散布にも応用できる。
【主な符号の説明】
【００４９】１  第一容器
２  第二容器
４  流量制御バルブ
５  水位制御装置
６  撹拌機
７  主架台
９  脚
１１ａ  スリット
１５  ストレーナ（フィルタ）
その他、省略
【図１】
2017153466.tif 000005
【図２】
2017153466.tif 000006
【図３】
2017153466.tif 000007
【図４】
2017153466.tif 000008